【手続補正書】
【提出日】平成27年3月16日(2015.3.16)
【手続補正１】
【補正対象書類名】特許請求の範囲
【補正対象項目名】全文
【補正方法】変更
【補正の内容】
【特許請求の範囲】
【請求項１】
撮像画素及び位相差を検出するための焦点検出画素を有する撮像素子と、
前記焦点検出画素の周辺に位置する複数の撮像画素及び焦点検出画素の画素出力に基づいて、前記撮像素子が受光した被写体像パターンが高周波である度合いを検出する高周波パターン検出部と、
前記焦点検出画素の周辺に位置する撮像画素の画素出力を用いて補間演算を行って前記焦点検出画素の画素出力に対応する補間出力を求め、該求めた補間出力と前記焦点検出画素の画素出力とを重み付け混合する補間処理部と、
前記高周波パターン検出部の出力に基づいて前記補間処理部における重み付け混合の際の混合割合を決定する適用判断部と、
を具備し、
前記高周波パターン検出部は、前記焦点検出画素に対して前記位相差検出方向と垂直方向の同位置又は前記焦点検出画素の周辺に位置する別の焦点検出画素に対して位相差検出方向と垂直方向の同位置に配置されている焦点検出画素からなる第１の画素群の位相差検出方向と垂直方向に位置する画素出力同士の四則演算の結果を積分した値と、前記第１の画素群から位相差検出方向にずらした位置に配置されている撮像画素からなる第２の画素群の位相差検出方向と垂直方向に位置する画素出力同士の四則演算の結果を積分した値との差分又は比率を算出し、前記四則演算の結果を積分した値の差分又は比率の大きさに応じて前記高周波である度合いを設定する
ことを特徴とする撮像装置。
【請求項２】
前記高周波パターン検出部は、前記四則演算の方法、前記第１の画素群の位置、前記第１の画素群に対する前記第２の画素群のずらし量を、前記焦点検出画素の配置又は前記撮像装置の動作モードに依存して適応的に変化させることを特徴とする請求項１に記載の撮像装置。
【請求項３】
前記適用判断部は、前記高周波である度合いが高い場合は、前記焦点検出画素の混合割合を高くすることを特徴とする請求項１又は２に記載の撮像装置。
【請求項４】
前記適用判断部は、前記高周波である度合いが低い場合は、前記補間出力の混合割合を高くすることを特徴とする請求項１又は２に記載の撮像装置。
【請求項５】
撮像画素及び位相差を検出するための焦点検出画素を有する撮像素子の画素出力を処理する画像処理方法であって、
前記焦点検出画素の周辺に位置する複数の撮像画素及び焦点検出画素の画素出力に基づいて、前記撮像素子が受光した被写体像パターンが高周波である度合いを検出し、
前記高周波である度合いに基づいて補間出力と前記焦点検出画素の画素出力との重み付け混合の際の混合割合を決定し、
前記焦点検出画素の周辺に位置する撮像画素の画素出力を用いて補間演算を行って前記焦点検出画素の画素出力に対応する前記補間出力を求め、該求めた補間出力と前記焦点検出画素の画素出力とを重み付け混合し、
前記高周波である度合いを検出する際に、前記焦点検出画素に対して前記位相差検出方向と垂直方向の同位置又は前記焦点検出画素の周辺に位置する別の焦点検出画素に対して位相差検出方向と垂直方向の同位置に配置されている焦点検出画素からなる第１の画素群の位相差検出方向と垂直方向に位置する画素出力同士の四則演算の結果を積分した値と、前記第１の画素群から位相差検出方向にずらした位置に配置されている撮像画素からなる第２の画素群の位相差検出方向と垂直方向に位置する画素出力同士の四則演算の結果を積分した値との差分又は比率を算出し、前記四則演算の結果を積分した値の差分又は比率の大きさに応じて前記高周波である度合いを設定する
ことを特徴とする画像処理方法。
【請求項６】
前記高周波である度合いを検出する際に、前記四則演算の方法、前記第１の画素群の位置、前記第１の画素群に対する前記第２の画素群のずらし量を、前記焦点検出画素の配置又は撮像装置の動作モードに依存して適応的に変化させることを特徴とする請求項５に記載の画像処理方法。
【請求項７】
前記混合割合を決定する際に、前記高周波である度合いが高い場合は、前記焦点検出画素の混合割合を高くすることを特徴とする請求項５又は６に記載の画像処理方法。
【請求項８】
前記混合割合を決定する際に、前記高周波である度合いが低い場合は、前記補間出力の混合割合を高くすることを特徴とする請求項５又は６に記載の画像処理方法。
【請求項９】
撮像画素及び位相差を検出するための焦点検出画素を有する撮像素子の画素出力を処理する画像処理プログラムであって、
前記焦点検出画素の周辺に位置する複数の撮像画素及び焦点検出画素の画素出力に基づいて、前記撮像素子が受光した被写体像パターンが高周波である度合いを検出する機能と、
前記高周波である度合いに基づいて補間出力と前記焦点検出画素の画素出力との重み付け混合の際の混合割合を決定する機能と、
前記焦点検出画素の周辺に位置する撮像画素の画素出力を用いて補間演算を行って前記焦点検出画素の画素出力に対応する前記補間出力を求め、該求めた補間出力と前記焦点検出画素の画素出力とを重み付け混合する機能と、
をコンピュータに実現させ、
前記高周波である度合いを検出する機能において、前記焦点検出画素に対して前記位相差検出方向と垂直方向の同位置又は前記焦点検出画素の周辺に位置する別の焦点検出画素に対して位相差検出方向と垂直方向の同位置に配置されている焦点検出画素からなる第１の画素群の位相差検出方向と垂直方向に位置する画素出力同士の四則演算の結果を積分した値と、前記第１の画素群から位相差検出方向にずらした位置に配置されている撮像画素からなる第２の画素群の位相差検出方向と垂直方向に位置する画素出力同士の四則演算の結果を積分した値との差分又は比率を算出し、前記四則演算の結果を積分した値の差分又は比率の大きさに応じて前記高周波である度合いを設定する
ことをコンピュータに実現させるための画像処理プログラム。
【手続補正２】
【補正対象書類名】明細書
【補正対象項目名】０００７
【補正方法】変更
【補正の内容】
【０００７】
前記の目的を達成するために、本発明の第１の態様の撮像装置は、撮像画素及び位相差を検出するための焦点検出画素を有する撮像素子と、前記焦点検出画素の周辺に位置する複数の撮像画素及び焦点検出画素の画素出力に基づいて、前記撮像素子が受光した被写体像パターンが高周波である度合いを検出する高周波パターン検出部と、前記焦点検出画素の周辺に位置する撮像画素の画素出力を用いて補間演算を行って前記焦点検出画素の画素出力に対応する補間出力を求め、該求めた補間出力と前記焦点検出画素の画素出力とを重み付け混合する補間処理部と、前記高周波パターン検出部の出力に基づいて前記補間処理部における重み付け混合の際の混合割合を決定する適用判断部とを具備し、前記高周波パターン検出部は、前記焦点検出画素に対して前記位相差検出方向と垂直方向の同位置又は前記焦点検出画素の周辺に位置する別の焦点検出画素に対して位相差検出方向と垂直方向の同位置に配置されている焦点検出画素からなる第１の画素群の位相差検出方向と垂直方向に位置する画素出力同士の四則演算の結果を積分した値と、前記第１の画素群から位相差検出方向にずらした位置に配置されている撮像画素からなる第２の画素群の位相差検出方向と垂直方向に位置する画素出力同士の四則演算の結果を積分した値との差分又は比率を算出し、前記四則演算の結果を積分した値の差分又は比率の大きさに応じて前記高周波である度合いを設定することを特徴とする。
【手続補正３】
【補正対象書類名】明細書
【補正対象項目名】０００８
【補正方法】変更
【補正の内容】
【０００８】
前記の目的を達成するために、本発明の第２の態様の画像処理方法は、撮像画素及び位相差を検出するための焦点検出画素を有する撮像素子の画素出力を処理する画像処理方法であって、前記焦点検出画素の周辺に位置する複数の撮像画素及び焦点検出画素の画素出力に基づいて、前記撮像素子が受光した被写体像パターンが高周波である度合いを検出し、前記高周波である度合いに基づいて補間出力と前記焦点検出画素の画素出力との重み付け混合の際の混合割合を決定し、前記焦点検出画素の周辺に位置する撮像画素の画素出力を用いて補間演算を行って前記焦点検出画素の画素出力に対応する前記補間出力を求め、該求めた補間出力と前記焦点検出画素の画素出力とを重み付け混合し、前記高周波である度合いを検出する際に、前記焦点検出画素に対して前記位相差検出方向と垂直方向の同位置又は前記焦点検出画素の周辺に位置する別の焦点検出画素に対して位相差検出方向と垂直方向の同位置に配置されている焦点検出画素からなる第１の画素群の位相差検出方向と垂直方向に位置する画素出力同士の四則演算の結果を積分した値と、前記第１の画素群から位相差検出方向にずらした位置に配置されている撮像画素からなる第２の画素群の位相差検出方向と垂直方向に位置する画素出力同士の四則演算の結果を積分した値との差分又は比率を算出し、前記四則演算の結果を積分した値の差分又は比率の大きさに応じて前記高周波である度合いを設定することを特徴とする。
【手続補正４】
【補正対象書類名】明細書
【補正対象項目名】０００９
【補正方法】変更
【補正の内容】
【０００９】
前記の目的を達成するために、本発明の第３の態様の画像処理プログラムは、撮像画素及び位相差を検出するための焦点検出画素を有する撮像素子の画素出力を処理する画像処理プログラムであって、前記焦点検出画素の周辺に位置する複数の撮像画素及び焦点検出画素の画素出力に基づいて、前記撮像素子が受光した被写体像パターンが高周波である度合いを検出する機能と、前記高周波である度合いに基づいて補間出力と前記焦点検出画素の画素出力との重み付け混合の際の混合割合を決定する機能と、前記焦点検出画素の周辺に位置する撮像画素の画素出力を用いて補間演算を行って前記焦点検出画素の画素出力に対応する前記補間出力を求め、該求めた補間出力と前記焦点検出画素の画素出力とを重み付け混合する機能とをコンピュータに実現させ、前記高周波である度合いを検出する機能において、前記焦点検出画素に対して前記位相差検出方向と垂直方向の同位置又は前記焦点検出画素の周辺に位置する別の焦点検出画素に対して位相差検出方向と垂直方向の同位置に配置されている焦点検出画素からなる第１の画素群の位相差検出方向と垂直方向に位置する画素出力同士の四則演算の結果を積分した値と、前記第１の画素群から位相差検出方向にずらした位置に配置されている撮像画素からなる第２の画素群の位相差検出方向と垂直方向に位置する画素出力同士の四則演算の結果を積分した値との差分又は比率を算出し、前記四則演算の結果を積分した値の差分又は比率の大きさに応じて前記高周波である度合いを設定することをコンピュータに実現させる。